(57)【要約】不要の音響反射及びその結果として生じるくし型フィルタ効果を最小化するが、聴音する位置が構えられる聴音室内の領域にわたり広くかつ一様な指向特性を維持する音声再生システムが開示される。
2006502657.tif 000002
【特許請求の範囲】
【請求項１】
１又は複数の発生器から聴音する位置／聴音する領域に音声エネルギーを配信するための音声再生装置であって、
前記１又は複数の発生器から前記聴音する位置／聴音する領域に前記音声エネルギーの一部を方向付けするための手段を備え、
前記手段は、１又は複数の面のそれぞれからの反射される音声を最小化するようになっており、反射される音声と、前記聴音する位置／聴音する領域に音声を方向付けするための前記手段から直接受信される音声に、実質的に同じ相互の音声の差を結果として生じさせ、
不要な音声の反射は、前記聴音する位置／聴音する領域で最小化される音声再生装置。
【請求項２】
音声エネルギーの方向付けのための前記手段は、前記発生器と前記聴音する位置／聴音する領域のそれぞれの間の音声伝搬経路に挿入される１又は複数の音響反射器を備えることを特徴とする請求項１に記載の音声再生装置。
【請求項３】
前記音響反射器のそれぞれは、前記発生器によって与えられる音波の伝搬の方向を変更するために少なくとも第１及び第２の反射器表面を備えることを特徴とする請求項２に記載の音声再生装置。
【請求項４】
前記音響反射器は、さらに、前記反射器表面との音響的相互作用のために１又は複数のバッフル手段を備え、相互作用は特定の音響反射器の全放射パターンに作用することを特徴とする請求項３に記載の音声再生装置。
【請求項５】
前記反射器表面は湾曲していることを特徴とする請求項３に記載の音声再生装置。
【請求項６】
前記バッフル手段は１又は複数の湾曲した表面を備えることを特徴とする請求項４に記載の音声再生装置。
【請求項７】
前記反射器表面の大きさ及び前記フレームバッフル手段の大きさは、前記音響反射器及び協働する発生器のそれぞれが放射できるようになっている特定の周波数帯域／波長領域と関係して選択されることを特徴とする請求項３に記載の音声再生装置。
【請求項８】
前記音響反射器のそれぞれに対し、前記反射器表面の大きさと前記バッフル手段のそれぞれの大きさの間の比率は、所定の範囲内で選択されることを特徴とする請求項３に記載の音声再生装置。
【請求項９】
前記反射器表面及びその放射領域（Ａg）の方向（α、Ａ、Ｂ）は可変であることを特徴とする請求項２に記載の音声再生装置。
【請求項１０】
前記発生器は、前記反射器表面に対する音響放射のために開口部において終端する音響伝送線（ｒ）によって前記反射器表面に対する音波伝搬経路に接続され、前記反射器表面に対する前記開口部の位置は可変であることを特徴とする請求項２に記載の音声再生装置。
【請求項１１】
前記発生器は、ダイナミックドームドライバ、ダイナミックコーンドライバ及びピエゾドライバを含む群から選択されることを特徴とする請求項２に記載の音声再生装置。
【請求項１２】
前記反射器表面は楕円体であることを特徴とする請求項５に記載の音声再生装置。
【請求項１３】
前記反射器表面は、楕円体表面の接平面が前記音響反射器を通り縦方向の軸（Ｚ）と実質的に平行である前記楕円体の部分から広がり、楕円体表面の接平面が前記縦方向の軸（Ｚ）に対して実質的に垂直である前記楕円体の部分で終端することを特徴とする請求項１２に記載の音声再生装置。
【請求項１４】
前記１又は複数のバッフル手段のそれぞれは、前記第２の反射器表面と反対の面の前記第１の反射器表面の終端で前記音響反射器の前記縦方向の軸（Ｚ）に実質的に垂直に広がる第１のバッフル部分を備えることを特徴とする請求項４に記載の音声再生装置。
【請求項１５】
前記１又は複数のバッフル手段のそれぞれは、前記音響反射器の縦方向の軸（Ｚ）に対して実質的に平行に広がり、前記聴音する位置／聴音する領域に対して前記音響反射器と反対方向の前記音響反射器に配置される第２のバッフル部分を備えることを特徴とする請求項４に記載の音声再生装置。
【請求項１６】
前記第２のバッフル部分の外側の輪郭部を縦方向に広げるために、回転されることを特徴とする請求項１５に記載の音声再生装置。
【請求項１７】
前記反射器表面の少なくとも事前定義された部分及び／又は前記バッフル手段は、適当な表面テクスチャを与えられ、それによって前記音響反射器のそれぞれの音響放射パターンが作用し得ることを特徴とする請求項４に記載の音声再生装置。
【請求項１８】
前記反射器表面の少なくとも事前定義された部分及び／又は前記バッフル手段は、音響吸収器を与えられ、それによって前記音響反射器のそれぞれの音響放射パターンが作用し得ることを特徴とする請求項４に記載の音声再生装置。
【請求項１９】
前記反射器表面の少なくとも事前定義された部分及び／又は前記バッフル手段は、音響拡散器を与えられ、それによって前記音響反射器のそれぞれの音響放射パターンが作用し得ることを特徴とする請求項４に記載の音声再生装置。
【発明の詳細な説明】
【技術分野】
【０００１】
本発明は、音響再生装置に関し、より詳細には、音響エネルギーを聴音する室内の所定の聴音する位置又は聴音する領域に放射する手段を備えている音響放射器システムに関するものであり、例えば部屋の境界又は部屋の障害物の特殊な外面から生じ、聴音する位置及び前記著音領域内で受ける不必要な反射は、完全に回避されるか又は制御される方法で少なくとも減衰されるようになっている音響放射器システムに関する。
【背景技術】
【０００２】
家庭用及び業務用の両者に対して拡声器及び拡声器のシステムを設計する際には、そのようなシステムの１つの重要な音響特性は、周囲に対する音響エネルギーの放射の指向性である。一般に、音声は、聴音する部屋において直接的に聴音する位置に向けて放射されるだけでなく、部屋の様々な境界に向けて放射され部屋にある別の対象に向けても放射される。音声が境界に衝突する時、少なくとも一部の音響エネルギーは境界から反射され、これらの反射の中には、拡声器から直接的に受信される音声エネルギーと共に実際に聴音する位置又は聴音する領域に達するものもある。この反射される音響エネルギーの中には音響位置における音声全体の認知に対して否定しがたい感度として寄与するものがある一方で、他の反射には一般に問題があることが発見され、音色に期待に反して影響する例えば所望のくし型フィルタ効果に繋がるものもある。特に、拡声器と聴音する位置の間の床及び天井の一部からの反射は一般には不必要なものであり、それらは拡声器からの直接的な音声と比べて少なくとも適当に減衰されるべきであることが分かる。また、拡声器の背後の壁又は他の空間的に拡張された障害物からの反射は、しばしば上述の不必要なくし型フィルタ効果に繋がる。
【０００３】
さらに、聴音する位置において拡声器から直接的に受信される音声と残響音すなわち反射によって生じる音声との間の釣合いが取れているべきであることが認識される。聴音する部屋で設定される典型的な拡声器では、直接的な音声及び残響音のレベルは同じオーダーの大きさである。室内の幾つかの反射の上述した不必要な影響が考慮されていない場合、拡声器から全方向に均一な放射が向けられるべきである。しかしながら、例えば、拡声器すなわち２以上の放射ユニットを含む拡声器システムの異なる拡声器ユニット（高音部ユニット、中間周波数ユニット等）の指向性をカスタマイズすることによって、音声エネルギーの全方向の放射と幾つかの方向における放射の減衰の間には、適当な妥協が考慮されなければならないことが上記から明らかである。
【０００４】
【特許文献１】米国特許番号５，６１５，１７６
【特許文献２】米国特許番号６，０６８，０８０
【特許文献３】米国特許番号６，４３５，３０１
【特許文献４】米国特許番号４，８３６，３２９
【特許文献５】英国特許番号８３０，７４５
【０００５】
拡声器の指向性をカスタマイズする手段は、電気音響学の技術の中で非常に多く存在し、１９３０年代から少なくとも定期的に説明されてきている。そのような手段は、一般的には、拡声器ドライバダイアフラムの前に音響レンズ又は平面か曲面のいずれかである反射器表面に様々な形態を有している。例えば、本発明者による特許文献１、特許文献２、及び特許文献３それぞれを参照すべきである。また、ｋｌａｙｍａｎによる特許文献４及びＱｕｅｎｎｅｌｌによる特許文献５を参照すべきである。これらそれぞれの文献は、この中に参照によって本論全体に取り込まれている。
【０００６】
上記背景に基づくと、不必要な反射及びその結果生ずるくし型フィルタ効果に関して上述の欠点を受けず、他方で、聴音する位置が構えられる聴音室内の領域にわたり広範かつ一様な指向特性を維持し続ける音声再生システムを提供することが本発明の利点である。
【０００７】
特に、本発明の実施例に従う装置は、装置及び聴音する位置の間の床及び天井からの典型的な反射の減衰量及び装置の背後にある境界又は障害物からの反射の減衰量を提供する。
【０００８】
前記装置の音響的要件は、装置がそれらの面（すなわち、その大きさが放射される音声の波長と対比して適当な反射を生じる程度の大きさである、部屋の境界又は部屋の障害物の面）からの反射音声を最小化しなければならないということを要件とすることによって明白に再系統化され、結果として特定の面からの反射音声と装置から直接受信される音声に、同じ相互の音声の差を生じさせる。上記要件を満たす反射は、上述の不必要なくし型フィルタ効果を最も生じさせる傾向にある反射である。
【０００９】
上記要件が図１ａ及び１ｂに例証される。従って、図１ａは、聴音する部屋を通る水平断面、音源（例えば本発明に従う装置）及び音源の前に配置される聴取者を示す。聴取者の２つの耳に音源から直接受信される音声は、矢印Ｄで指示され、一方、部屋の左側の壁から反射される音声はＲで指示される。直接音Ｄの相互の音声の差（周波数の関数としての時間及び強度の差異の両方）は、全ての周波数においてゼロに近く、一方、反射音Ｒの相互の音声の差は、実際上ゼロではない。対応する相互の時間差は全周波数においてゼロではなく、一方、相互の強度差は、周波数と共に増加する傾向にある。この種の反射は、上記要件によって定義される発明に従う装置によって減衰されない。
【００１０】
ここで、図１Ｂを参照すると、聴音する部屋を通る垂直断面が示されており、音源及び聴取者が直接音Ｄと共に示されている。また、床からの反射Ｒf、天井からの反射Ｒc、及び音源の背後にある壁からの反射Ｒbが示されている。上記３つの反射のそれぞれの相互音声の差は、ほぼ直接音の相互の音声の差に等しく、すなわちこの特定の場合にはほぼゼロに等しい。
【発明の開示】
【課題を解決するための手段】
【００１１】
本発明の実施例によると、相互の音声の差に基づく上記要件は、
音声再生装置であって、
約−９０度の方位角から＋９０度の方位角まで前記装置の正面の前記装置を通る水平面において実質的に一様な指向性を有し、
約＋９０度の方位角から１８０度の方位角を介して約−９０度の方位角まで前記装置の背後の前記装置を通る水平面において実質的な指向性の減衰を有し、
床及び天井からの前記不必要な反射を生じさせる傾向にある音声放射のそれらの方向に減衰を示す前記装置を通る垂直面において指向性を有する、音声再生装置を提供することによって満たされる。本発明に係る再生装置の特定の実施例に関して実行される様々な測定例が、図５Ａから５Ｄ及び図６Ａから６Ｄに示されている。
【００１２】
本発明によると、上記要件に従って、そして必要があれば、特定の聴音する部屋のさらなる要件に従ってカスタマイズされ得る指向性を有する音声再生装置が提供される。本発明に係る装置の実施例は、
-音声エネルギーを部屋の聴音する位置又は聴音する領域に配信するための１又は複数の音声エネルギーの発生器と、
-前記１又は複数の発生器から前記聴音する位置／聴音する領域に前記音声エネルギーを方向付けするための手段と、を含み、
音声エネルギーを方向付けするための前記手段は、１又は複数の面の各々からの反射音を最小化し、結果として、反射音と、音声エネルギーを方向付けするための前記手段から直接受信される音声に、実質的に同じ相互の音声の差を生じさせるようになっている。
【００１３】
音声を方向付けするための前記手段の一実施例は、音響レンズ又は様々な種類の反射器であり、発明の詳細な説明に記載される本発明の実施例は、実際には、特許文献１及び特許文献２に開示される音響反射器のさらなる開発に基づいている。しかしながら、また、他の種類の音声反射器又はレンズ又は代替的には複数の音源のアレーは、添付した特許請求の範囲で画定される本発明から逸脱することなく上記発明の原理を実行するために用いられ得ることが理解される。
【００１４】
本発明に係る実施例によると、音声を方向付けするための複数の手段は、本発明に係る単一の再生装置で用いられ得る。特定の音声の波長に従って前記手段を最適化して、前記特定の手段、その全体の寸法、或いはまた、反射面の形状及び配置、様々な面の表面構造及び音響減衰材料の配置などの他の適切な音響パラメータによって処理されるように２以上の前記手段を適用し、その中の個々の特性を最適化することは、原理として有利である。これは、これらの異なる方向付けを周囲に適用するために、例えば音響反射器の場合において異なる手段の異なる指向特性を利用したい場合にさらなる可能性を提供する。また、例えば放射された周波数帯域及びそれぞれ異なる周波数帯域の放射された音響パワーに関する異なる要件によれば、異なる手段において音響発生器の異なる種類を利用することは非常に有益である。
【００１５】
また、本発明に係る音声再生装置を結合することが可能であるがゆえ、これらの要件を満たすように設計されていない他の音声再生装置と共に相互の音声の差に関して上記要件を満たす。例えば、本発明に係る装置の結合は、低周波数の再生に対して実質的に全方向性である装置と共に、例えば主に５００Ｈｚを超える、より高い周波数の再生を意図して、実際には有利に利用され得る。
【発明を実施するための最良の形態】
【００１６】
ここで、本発明に係る音声再生装置の実施例を、添付図面を参照してより詳細に説明する。
【００１７】
以下、本発明に係る様々な実施例の詳細な説明が与えられる。
【００１８】
図２を参照すると、実質的に制御可能な方法における全方向性の特性とは異なる、放射音声エネルギーの指向特性を用いた音声再生装置が示される。特に、図２に示される装置は、個別の音声発生器３、９を与えられた２つの音響反射器１、２を備え、それらは互いの上部に配置されている。放射器は、２つの反射器のそれぞれによって放射されるように特定の周波数領域に従って大きさが拡大（縮小）される。反射器は、図面に垂直なＸＺ平面について幾何学的に対称であるように示されているが、非対称の幾何学形状を有する反射器がまた原理的に想像され、そして、反射器がＸＺ平面について実質的に幾何学的に対象であるとしても、対称の指向特性から所望のずれを達成するように、例えば装置が実際に用いられる部屋の一定の特別な要件を満たすように、それらは様々な反射面の微細構造について異なる音響面材料を与えられ得ることが理解される。多くの上記可能性は、以下に説明される。
【００１９】
さらに、縦方向（Ｚ）軸について互いに対して２つの反射器１、２を回転させることが可能である。周囲から見ると、２つの反射器の指向特性はほとんどの場合おそらく実質的に同一であるべきだが、ＸＺ平面に対して水平な面における大きな角度での一定の放射の減衰は、例えばこの方向に強く反射する面が存在するため恩恵を受けることができる事情もあり得る。前記反射が２つの放射器のそれぞれによって放射される周波数帯域のある帯域内に目立って存在する場合、前記反射が妨げられない周波数をその後に放射することを想定して他の反射器に対して反射器の１つを回転させることは非常に有益である。
【００２０】
反射器１及び２の特定の構造に戻ると、これらの構造は、原理的に、それぞれ個別の放射器によって放射される特定の周波数領域（特定の波長領域）に関する大きさの差異を除けば類似している。放射器１、２は主に第１及び第２の反射器表面４、１０及び５、１１それぞれを含んでおり、音声エネルギー発生器３、９によって放射される音声エネルギーをサラウンドルームにおける所望の聴音する位置又は聴音する領域に向けて外向きに方向付けする。前記反射器の表面についての１つの特定の例は、参照によって事前に取り込まれている特許文献１及び特許文献２に記載されており、これによると反射器表面は楕円状である。さらに、音響反射器のそれぞれは、第１及び第２のバッフル手段７、１３、及び８、１４それぞれを備え、反射器表面４、１０及び５、１１それぞれの指向特性の変更を制御する。特に、本発明の本実施例に係る第１のバッフル手段は、前記第２の反射表面５、１１と反対の面の前記第１の反射器表面４、１０の終端で音響反射器の縦方向の軸Ｚに実質的に垂直に広がっている。第１のバッフル手段は、上部の面と共に図２に示され、バッフルの外側の輪郭部に対して僅かに湾曲した部分が与えられていることを除いて通常は平面である。しかしながら、また、第１のバッフル７、１３の表面のその他の形態は、実際には、想像され得る。
【００２１】
第２のバッフル手段８、１４は、図のＸ方向、すなわち所望の聴音する位置又は聴音する領域に向かう方向に通常は２次元のフロント面を含んでいる。また、第２のバッフル手段のフロント面の位置は、図３及び４にも示されており、フロント面は第１の反射器表面４、１０の輪郭部及び第２の反射器表面８、１４の輪郭部を画定する。図２に示されるように、（Ｘ軸に沿って）聴音する位置に対する方向から見える第２のバッフルの形状は、台形であり、図２の傾斜している輪郭部１５、１６によって示されているが、他の形状もまた、原理的には用いられ得る。さらに、第２のバッフル手段８、１４のフロント面はフロント面の大部分が平面であるが、湾曲した輪郭部分１５、１６を与えることは指向性のある特性に関して所望の効果を有し得る。
【００２２】
上述のように、それぞれ様々な反射器表面４、１０及び５、１１、及びそれぞれ第１及び第２のバッフル手段７、１３及び８、１４の大きさは、望ましくは、それぞれ個々の音響反射器の特定の周波数帯域に従って選択される。また、さらに、これらの大きさの間の比率は、それぞれ個々の音響反射器に対して最適化され得る。
【００２３】
聴音する位置／聴音する領域に対して方向付けされるための音声エネルギーは、個々の反射器のそれぞれであって、例えば図２の参照番号３及び９によって指示されているような手段のそれぞれに対し、少なくとも１つの音源手段によって発生させられるものである。特に、図２に示されるような発生器手段は、例えば高精細拡声器システムのツイーター（高周波数放射器）のような従来用いられものに対応するドームドライバである。しかしながら、コーンドライバ、（例えば電気力学の）ピエゾドライバ又はいわゆる圧縮ドライバ、すなわち音声発生器ｇ（図４参照）がチューブｒなどの音響伝送線を介して周囲に音声エネルギーを与える場合のドライバなど他のタイプの音響発生器もまた用いられ得ることが理解される。どのような方法でも、可能性としては決して上述のタイプのドライバに限られるものではない。
【００２４】
反射器の指向特性は、反射器の様々な面に対して発生器手段の正確な位置によって影響を受け得る。これは、図３（実際に用いられる発生器がドライバ放射領域Ａgを覆う上述のドームドライバである場合）及び図４（上述の圧縮ドライバが用いられる場合）に示される。図３に示されるようなドームドライバの場合に、図３で角度αの記号によって示されるような放射の方向（すなわちドライバ及び反射器の大きさに対称の軸の方向）と、図３及び４の矢印Ａ及びＢの記号によって示されるような反射器のＸ、Ｙ及びＺの大きさに対するドライバダイアフラムの位置の両方が、結果として生じる反射器の指向特性にとっては重要である。図４に示されるような圧縮ドライバの場合、上記角度αによって表される大きさは無関係である。
【００２５】
もちろん、反射表面４、１０及び５、１１の正確な形状は、所望の指向特性を獲得する際に大きな役割を果たす。図３及び４に関して、それは見受けられるが、これは例として考慮されるだけのものであり、上述した楕円体の表面の場合には、楕円体全体のうちの一部を利用することが望ましく、これらの図でＳRによって指示される反射器表面は、楕円体の表面の接平面は反射器を通る縦方向の軸（ｚ）と実質的に共通して平行である楕円体の部分から広がり、縦方向の軸（Ｚ）に対して実質的に垂直な前記楕円体の部分で終端する。
【００２６】
冒頭で説明したように、指向特性は様々な反射器の表面の幾何学的形態によって決定されるだけでなく、これらの表面の又はこれらの表面の選択された部分の音響的（反射）特性の変化によっても決定される。それゆえ、反射器表面４、１０及び５、１１それぞれ及び／又は第１及び第２のバッフル手段７、１３及び８、１４それぞれの全体の表面、又は適切な表面テクスチャを用いてこれについて選択される部分のいずれかを提供することによって反射器の指向特性を調整することが可能である。また、例えばアパーチャ又はスリットのパターンを表面に与え、従来技術として周知の方法でフェルト又はミネラルウールなどの音響的吸収材料を用いて終端することによって、様々な表面に音響的に吸収する部分を生成することが可能である。また、反射器表面の部分は、例えば表面の突出形状又は他の不規則な形状の拡散器手段によって与えられる。
【００２７】
ここで、図５Ａから６Ｄに移ると、上述の種類の再生装置を用いて得られる周波数２．５ｋＨｚ、５ｋＨｚ、１０ｋＨｚ及び２０ｋＨｚにおける水平及び垂直の自由音場の測定が示されている。比較のために、１７ｃｍのワイドキャビネットに通常の方法で取り付けられたことを除いて本発明に従う装置と同じ音声発生器を用いて、同じ高音のドームドライバユニットに対して２０ｋＨｚにおいて測定された自由音場の指向性が、図７に示されている。
【００２８】
特に、本発明に係る再生装置の水平の指向性が２．５ｋＨｚから２０ｋＨｚまでの周波数帯域を通して適切に一定であることが図５Ａから図５Ｄにより明らかである。音声エネルギーは、水平面のフロント面部分に向けて大部分が放射されることが望ましく、指向性パターンは、＋／−９０度で数ｄＢから数１０ｄＢ下がり、水平面の背後の部分で大きく減衰される。後者は冒頭で述べたように、装置の背後にある壁又は他の障害物からの反射を減衰させるためにはのぞましく、その反射は、ゼロに近い相互の音声の差を生じさせる。全ての測定される周波数で水平面のフロント面部分を通る音声エネルギーの適当に一様な分布は、冒頭で述べたように、再生装置の前の全領域にわたり一様な音色を得るためには望ましい。
【００２９】
周波数２０ｋＨＺにおいて本発明に従う装置で得られる水平指向性パターンは、図７に示される対応する水平指向性パターンと比較され得る。より一様な水平指向性は通常の方法で取り付けられたドームツイーターを用いるよりも本発明に従う装置を用いた高周波数で得られることが直ちに明らかになる。
【００３０】
ここで、図６Ａから図６Ｄに移ると、垂直面における本発明に従う装置に対応して測定された自由音場指向性について、周波数２．５ｋＨｚ、５ｋＨｚ、１０ｋＨｚ及び２０ｋＨｚで測定されたものが示されている。冒頭で述べたように、一般には、音源の背後に位置する壁又は他の障害物からの反射だけでなく音源と聴音する位置の間の床及び天井からの反射を減衰させることが望ましい。通常の聴音する部屋では、床及び天井からの反射は、典型的には、仰角の区間は＋／−３０から６０度の間に対応し、これらの反射は、直接音と概して同じ相互の音声の差（時間及び／又は強度）で聴取者の耳に到達し、それによって不要なくし型フィルタ効果に繋がり得る。それゆえ、（逆方向の音声エネルギーの放射と同様に）これらの垂直の区間内の音声エネルギーの放射を減衰させることが望ましい。本発明に係る装置が、床に対する方向（−３０から−６０度）及び逆方向の両方に放射される音声エネルギーの減衰を与えることが図６Ａから６Ｄにより明らかになる。床に向かう方向及びその逆方向の放射の減衰として判断はされないが、垂直の区間＋３０から＋６０度における放射される音声エネルギーの減衰は、特に、５ｋＨｚから上の周波数において明らかである。
【００３１】
本発明をこの中に詳細に説明してきたが、本発明はこの中に開示される実施例に限定されるものではないことが理解されるべきである。さらに、様々な変化、置換え及び変更は添付した特許請求の範囲によって記載され画定される本発明の意図及び範囲から逸脱することなく当業者によって開示され得る。
【図面の簡単な説明】
【００３２】
【図１Ａ】音源及び聴取者の頭を通る水平面図に示される、直接音及び反射音が示された状態の聴音する部屋における音源及び聴取者の概略表現である。
【図１Ｂ】音源及び聴取者の頭を通る垂直面図に示される、直接音及び反射音が示された状態の聴音する部屋における音源及び聴取者の概略表現である。
【図２】互いに上に配置される２つの音響反射器を備えた本発明に係る音声再生装置の概略表現である。
【図３】本発明に係る装置に用いられる単一の音響反射システムの概略的な断面図表現である。
【図４】代替的な音響発生器が提供されるものを除いた図３に示される装置に対応する単一の音響反射器の概略的な断面図表現である。
【図５Ａ】正面方向（０度）に対して正規化された本発明に係る音声再生装置の周波数２．５ｋＨｚで計測された自由音場水平指向性を示す。
【図５Ｂ】正面方向（０度）に対して正規化された本発明に係る音声再生装置の周波数５ｋＨｚで計測された自由音場水平指向性を示す。
【図５Ｃ】正面方向（０度）に対して正規化された本発明に係る音声再生装置の周波数１０ｋＨｚで計測された自由音場水平指向性を示す。
【図５Ｄ】正面方向（０度）に対して正規化された本発明に係る音声再生装置の周波数２０ｋＨｚで計測された自由音場水平指向性を示す。
【図６Ａ】正面方向（０度）に対して正規化された本発明に係る音声再生装置の周波数２．５ｋＨｚで計測された自由音場垂直指向性を示す。
【図６Ｂ】正面方向（０度）に対して正規化された本発明に係る音声再生装置の周波数５ｋＨｚで計測された自由音場垂直指向性を示す。
【図６Ｃ】正面方向（０度）に対して正規化された本発明に係る音声再生装置の周波数１０ｋＨｚで計測された自由音場垂直指向性を示す。
【図６Ｄ】正面方向（０度）に対して正規化された本発明に係る音声再生装置の周波数２０ｋＨｚで計測された自由音場垂直指向性を示す。
【図７】１７ｃｍのワイドキャビネットに垂直に通常の方法で取り付けられたドライバを用いることなく本発明の係る音声再生装置に用いられる高音のドームドライバに対して２０ｋＨｚで計測された自由音場水平指向性を示す。
【図１Ａ】
2006502657.tif 000003
【図１Ｂ】
2006502657.tif 000004
【図２】
2006502657.tif 000005
【図３】
2006502657.tif 000006
【図４】
2006502657.tif 000007
2006502657.tif 000008
2006502657.tif 000009
2006502657.tif 000010
2006502657.tif 000011
【図７】
2006502657.tif 000012
【国際調査報告】
2006502657.tif 000013
2006502657.tif 000014